(57)【要約】【課題】充電器の充電端子へのホコリの付着を抑制することができる技術を提供する。【解決手段】  携帯機器１０と充電器５０のセットであって、携帯機器１０は、バッテリと、ワイピング部材３０と、端子２０を有しており、充電器５０は、充電端子５４を有している。携帯機器１０が充電器５０に載置されると、充電端子５４が携帯機器１０の端子２０と接触することによってバッテリが充電される。携帯機器１０が充電器５０に載置される過程において、ワイピング部材３０が充電端子５４の接点５４ａと摺動し、次に、ワイピング部材３０が充電端子５４の接点５４ａを通り過ぎ、その後に、携帯機器１０の端子２０が充電端子５４の接点５４ａと接触する。【選択図】図４
2012130227.tif 000002
【特許請求の範囲】
【請求項１】
携帯機器と充電器のセットであって、
携帯機器は、バッテリと、ワイピング部材と、端子を有しており、
充電器は、充電端子を有しており、
携帯機器が充電器に載置されると、充電端子が携帯機器の端子と接触することによってバッテリが充電され、
携帯機器が充電器に載置される過程において、ワイピング部材が充電端子の接点と摺動し、次に、ワイピング部材が充電端子の接点を通り過ぎ、その後に、携帯機器の端子が充電端子の接点と接触することを特徴とする携帯機器と充電器のセット。
【請求項２】
ワイピング部材が、第１の位置と第２の位置の間で揺動可能であり、
携帯機器が充電器に載置されるときには、ワイピング部材が第１の位置に位置したまま充電端子の接点と摺動し、
携帯機器が充電器から取り外されるときには、充電端子に当接することによってワイピング部材が第１の位置から第２の位置に揺動する、
ことを特徴とする請求項２に記載の携帯機器と充電器のセット。
【請求項３】
携帯機器に、溝が形成されており、
その溝の内部に、ワイピング部材が設置されていることを特徴とする請求項２に記載の携帯機器と充電器のセット。
【発明の詳細な説明】
【技術分野】
【０００１】
本発明は、携帯機器のバッテリを充電する技術に関する。
【背景技術】
【０００２】
携帯型のＲＦＩＤリーダや携帯型のバーコードリーダ等の種々の携帯機器が知られている。このような携帯機器は、バッテリを有しており、バッテリからの電力により動作する。特許文献１には、携帯機器のバッテリを充電する充電器が開示されている。この充電器は、ケースと、スライド部材と、充電端子と、つるまきバネを備えている。ケースには、開口が形成されている。スライド部材は、ケースに対してスライドする。スライド部材は、開口を塞ぐ閉塞位置と、開口を開放する開放位置との間を移動する。充電端子とつるまきバネは、ケースの内部に設置されている。充電端子は、つるまきバネに接続されている。スライド部材が閉塞位置に位置している状態では、充電端子がスライド部材に当接しており、つるまきバネが充電端子をスライド部材に向けて付勢している。
【０００３】
この充電器では、携帯機器が、ケースの開口を覆う位置に載置される。この充電器に携帯機器を載置すると、スライド部材が閉塞位置から開放位置に移動する。スライド部材が開放位置に移動するとスライド部材が充電端子を支えなくなる。すると、つるまきバネの力によって、充電端子が開口から外側（携帯機器側）に向かって移動する。これによって、充電端子が携帯機器の端子（以下、機器側端子という）と接触し、携帯機器のバッテリが充電される。充電器から携帯機器を取り外すと、スライド部材が開放位置から閉塞位置に移動する。すると、スライド部材の端面が充電端子に当接する。その後、スライド部材の端面が充電端子と摺動しながら、スライド部材によって充電端子が元の位置に押し戻される。
【先行技術文献】
【特許文献】
【０００４】
【特許文献１】特開２００６−２１１８４４号
【発明の概要】
【発明が解決しようとする課題】
【０００５】
特許文献１の充電器では、携帯機器が充電器から取り外される際に、スライド部材の端面が充電端子の接点と摺動する。摺動している間に、充電端子の表面に付着しているホコリが、スライド部材の端面によってかき集められる。携帯機器が充電器から取り外されると、スライド部材の端面は充電端子の接点上で停止する。このため、携帯機器が充電器から取り外された状態では、スライド部材の端面によってかき集められたホコリが、充電端子の接点上に存在する。ホコリは水や油を吸収するため、充電端子の接点上にホコリが存在していると、充電端子の接点が腐食したり、ホコリが充電端子の接点上に固着することがある。したがって、従来の充電器は、時間の経過とともに、充電端子と携帯機器の端子との接触不良が生じ易くなるという問題があった。
【０００６】
したがって、本明細書では、充電器の充電端子へのホコリの付着を抑制することができる技術を提供する。
【課題を解決するための手段】
【０００７】
本明細書は、携帯機器と充電器のセットを開示する。このセットの携帯機器は、バッテリと、ワイピング部材と、端子を有している。このセットの充電器は、充電端子を有している。携帯機器が充電器に載置されると、充電端子が携帯機器の端子と接触することによってバッテリが充電される。携帯機器が充電器に載置される過程において、ワイピング部材が充電端子の接点と摺動し、次に、ワイピング部材が充電端子の接点を通り過ぎ、その後に、携帯機器の端子が充電端子の接点と接触する。
【０００８】
この携帯機器と充電器のセットでは、充電器に携帯機器を載置するときに、携帯機器のワイピング部材が充電器の充電端子の接点と摺動する。これによって、充電端子の接点に付着しているホコリがワイピング部材によってかき集められる。その後、ワイピング部材は、充電端子の接点を通り過ぎる。このため、ワイピング部材によりかき集められたホコリは、充電端子の接点上に残らす、充電端子の接点上から取り除かれる。ワイピング部材によって充電端子の接点からホコリが取り除かれた後に、機器側端子が充電端子と接触する。このように、携帯機器を充電器に載置する度に充電端子の接点上からホコリが取り除かれるので、充電端子の接点が腐食したり、充電端子の接点上にホコリが付着することが抑制される。したがって、このセットでは、機器側端子と充電端子の接触不良が生じ難い。
【０００９】
上述したセットは、ワイピング部材が、第１の位置と第２の位置の間で揺動可能であることが好ましい。携帯機器が充電器に載置されるときには、ワイピング部材が第１の位置に位置したまま充電端子の接点と摺動することが好ましい。携帯機器が充電器から取り外されるときには、充電端子に当接することによってワイピング部材が第１の位置から第２の位置に揺動することが好ましい。
【００１０】
この様な構成によれば、携帯機器が充電器に載置されるときには、ワイピング部材が第１位置に固定されているので、ワイピング部材が充電端子の接点と強く摺動する。これによって、充電端子の接点上のホコリをより確実に除去することができる。また、携帯機器が充電器から取り外されるときには、充電端子に当接することによってワイピング部材が第１の位置から第２の位置に揺動する。これによって、ワイピング部材が充電端子に強く押し付けられることが防止される。このため、携帯機器を充電器からスムーズに取り外すことができる。
【００１１】
上述したセットは、携帯機器に溝が形成されており、その溝の内部にワイピング部材が設置されていることが好ましい。
【００１２】
ワイピング部材を揺動可能とすると、ワイピング部材が構造的に弱くなる。ワイピング部材を溝の内部に設置すれば、携帯機器の使用時等にワイピング部材に力や衝撃が加わることを防止することができる。これによって、ワイピング部材の破損を防止することができる。
【図面の簡単な説明】
【００１３】
【図１】携帯機器１０の背面図。
【図２】図１のＩＩ−ＩＩ線断面における携帯機器１０の部分断面図。
【図３】ワイピング部材３０の斜視図。
【図４】携帯機器１０の部分断面と充電器５０の断面を示す図。
【図５】携帯機器１０の部分断面と充電器５０の断面を示す図。
【図６】携帯機器１０の部分断面と充電器５０の断面を示す図。
【図７】携帯機器１０の部分断面と充電器５０の断面を示す図。
【図８】携帯機器１０の部分断面と充電器５０の断面を示す図。
【発明を実施するための形態】
【００１４】
以下に、実施例に係る充電器の特徴を列記する。
（特徴１）ワイピング部材が設置されている溝の上端にテーパ部が形成されている。
（特徴２）ワイピング部材が設置されている溝の側面と底面が滑らかな曲面により接続されている。
（特徴３）ワイピング部材は、充電器の充電端子よりも柔らかい素材により構成されている。
【実施例】
【００１５】
図１、２に示す携帯機器１０は、例えば、携帯型のＲＦＩＤリーダであり、無線通信によりＲＦＩＤタグから情報を読み出す。携帯機器１０はバッテリを内蔵している。携帯機器１０のバッテリは、図４に示す充電器５０によって充電される。
【００１６】
図１、２に示すように、携帯機器１０の背面１０ａの下部には、上下方向に伸びる一対の溝１４、１６が形成されている。溝１４、１６は、携帯機器１０の底面１０ｂまで伸びている。溝１４、１６の下端は、底面１０ｂで開放されている。一対の溝１４、１６の上側には、凹部１８が形成されている。凹部１８の深さは溝１４、１６の深さと等しい。溝１４、１６の上端は、凹部１８に繋がっている。言い換えると、溝１４と凹部１８と溝１６が互いに繋がって、逆Ｕ字状の溝を形成している。図１、２に示すように、逆Ｕ字状の溝の内面（底面及び側面）は、滑らかな曲面により互いに接続されている。溝１４、１６の上端部（凹部１８との接続部）には、上側ほど溝の幅が広がるように形成されたテーパ部１４ａ、１６ａが形成されている。
【００１７】
図１に示すように、携帯機器１０の背面１０ａには、一対の端子２０、２２が形成されている。図２に示すように、端子２０は、携帯機器１０の背面１０ａから凹部１８の上側面１８ａに跨って形成されている。端子２２も、背面１０ａから上側面１８ａに跨って形成されている。図１に示すように、端子２０は溝１４の直上に形成されており、端子２２は溝１６の直上に形成されている。
【００１８】
図１に示すように、溝１４内にワイピング部材３０が設置されており、溝１６内にワイピング部材３２が設置されている。ワイピング部材３０、３２の表面は、シリコンゴムやフェルト等の充電器５０の充電端子よりも柔らかい素材により構成されている。以下に、ワイピング部材３０、３２の構造について説明する。図２に示すように、溝１４の底近傍には、支持軸３６が設置されている。図３に示すように、支持軸３６は捻りコイルバネ３８の中心孔に挿通されており、これによって支持軸３６に捻りコイルバネ３８が取り付けられている。捻りコイルバネ３８の巻線の一端３８ａは携帯機器１０の本体に固定されており、巻線の他端３８ｂにはワイピング部材３０が固定されている。ワイピング部材３０は、支持軸３６を中心に図２、３の矢印１００に示す方向に揺動可能である。一方、ワイピング部材３０は、図示しないストッパによって図２、３の矢印１０２に示す方向には揺動不能とされている。捻りコイルバネ３８は、ワイピング部材３０を矢印１０２に示す方向に付勢している。したがって、ワイピング部材３０に外部から力が加わっていない状態では、ワイピング部材３０は図２に示すように溝１４の底面１４ｂに対して略垂直な姿勢となる。ワイピング部材３２も、溝１６内においてワイピング部材３０と同様に設置されている。
【００１９】
図４に示すように、充電器５０は、ケース５２と、一対の充電端子５４を備えている。なお、図４の視点では一対の充電端子５４が重なるので、図４では手前側の充電端子５４のみが示されている。ケース５２の上面には、凹部５６が形成されている。凹部５６は、携帯機器１０を安定して保持可能な形状に形成されている。充電端子５４は、捻りコイルバネ状に形成された基部５４ｂと、基部５４ｂからＬ字状に伸びる端子部５４ａを有している。基部５４ｂは、ケース５２の内部に設置されている。端子部５４ａの一部は、凹部５６の側面５６ａに形成されている開口５６ｂから外側に突出している。端子部５４ａは、基部５４ｂが捻れると、基部５４ｂを中心として回動する。一対の充電端子５４は、携帯機器１０の一対の端子２０、２２と同じ間隔で設置されている。充電端子５４は、図示しない充電回路と電気的に接続されている。一対の充電端子５４が携帯機器１０の一対の端子２０、２２と接触すると、充電回路により携帯機器１０のバッテリが充電される。なお、図４の参照番号５４ｃは、充電時に充電端子５４が携帯機器１０の端子２０と接触する接点部を示している。
【００２０】
次に、携帯機器１０と充電器５０の各部の動きについて説明する。なお、ワイピング部材３２の動きはワイピング部材３０の動きと同じであるので、以下ではワイピング部材３０及びこれに関連する部分の動きについて主に説明し、ワイピング部材３２及びこれに関連する部分の動きについては適宜説明を省略する。最初に、携帯機器１０を充電器５０に載置する際の各部の動きについて説明する。携帯機器１０を充電器５０に載置する際には、図４の矢印１０６に示すように、携帯機器１０を底面側から充電器５０の凹部５６内に挿入する。携帯機器１０を凹部５６内に挿入する過程において、図５に示すように、充電端子５４の端子部５４ａが溝１４内に進入する。なお、端子部５４ａが開口５６ｂから突出する長さは溝１４の深さより短いので、端子部５４ａは溝１４の底面と接触しない。図５に示すように、溝１４内に進入した端子部５４ａは、ワイピング部材３０と接触する。上述したように、ワイピング部材３０は図２の矢印１０２に示す方向に揺動できない。このため、図５に示す位置からさらに携帯機器１０を下側に移動させると、ワイピング部材３０によって、端子部５４ａが押し下げられる。その結果、基部５４ｂが捻れて端子部５４ａが回動し、ワイピング部材３０が端子部５４ａと摺動しながら下側に移動する。したがって、ワイピング部材３０によって、端子部５４ａの表面のホコリがかき集められる。ワイピング部材３０は、端子部５４ａの接点部５４ｃを通過して、図６に示すように端子部５４ａの先端と接触する位置まで移動する。このようにワイピング部材３０が端子部５４ａの接点部５４ｃを通り過ぎるので、ワイピング部材３０によってかき集められたホコリが接点部５４ｃ上に残らない。さらに携帯機器１０を下側に移動させると、ワイピング部材３０が端子部５４ａと非接触となり、ワイピング部材３０によってかき集められたホコリが端子部５４ａ上から除去される。また、ワイピング部材３０が端子部５４ａと非接触となると、端子部５４ａが元の位置（開口から外側に突出する位置）に戻る。そして、図７に示す位置まで携帯機器１０を移動させると、携帯機器１０が凹部５６によって安定して保持されるとともに、端子部５４ａの接点部５４ｃが携帯機器１０の端子２０と接触する。ワイピング部材３０によって端子部５４ａの接点部５４ｃ上からホコリが取り除かれているので、携帯機器１０の端子２０と端子部５４ａとが接触不良となることが抑制される。また、もう一方の充電端子５４も、上述した充電端子５４と同様にして携帯機器１０の端子２２と接触する。これによって、携帯機器１０のバッテリが充電される。
【００２１】
次に、携帯機器１０を充電器５０上から持ち上げるときの各部の動きについて説明する。図７に示す状態から携帯機器１０を上側に移動させると、端子部５４ａが凹部１８から溝１４内に進入する。溝１４の上端部にテーパ部１４ａが形成されているので（図１参照）、端子部５４ａはスムーズに溝１４内に進入する。溝１４内に進入した端子部５４ａは、ワイピング部材３０と接触し、ワイピング部材３０を下側に押す。上述したように、ワイピング部材３０は図２の矢印１００に示す向きに揺動することができる。したがって、図８に示すように、端子部５４ａに押されることによってワイピング部材３０が揺動する。このように、携帯機器１０を充電器５０上から持ち上げるときには、ワイピング部材３０が揺動するので、ワイピング部材３０と端子部５４ａとの間に強い力が加わることがない。これによって、ワイピング部材３０及び端子部５４ａが磨耗することが抑制される。また、このようにワイピング部材３０が揺動することで、携帯機器１０を充電器５０からスムーズに取り外すことができる。携帯機器１０が充電器５０から取り外されて、ワイピング部材３０が端子部５４ａに対して非接触となると、捻りコイルバネ３８によってワイピング部材３０が図１に示す姿勢に戻される。
【００２２】
以上に説明したように、実施例の態様では、携帯機器１０を充電器５０に載置する際に、ワイピング部材３０、３２が充電端子５４上のホコリを除去する。特に、ワイピング部材３０、３２は、充電端子５４の接点部上を通過するので、充電端子５４の接点部上にホコリが残り難い。したがって、携帯機器１０の端子２０、２２と充電端子５４との接触不良が生じることを抑制することができる。
【００２３】
また、実施例の態様では、携帯機器１０を充電器５０から取り外す際に、充電端子５４に押されてワイピング部材３０、３２が揺動する。これによって、ワイピング部材３０、３２と充電端子５４の磨耗が抑制される。また、携帯機器１０を充電器５０からスムーズに取り外すことができる。
【００２４】
また、実施例の携帯機器１０では、ワイピング部材３０、３２が溝の内部に設置されている。このため、携帯機器１０の使用時等に可動部であるワイピング部材３０、３２に負荷が加わり難く、ワイピング部材３０、３２が破損し難くなっている。
【００２５】
また、実施例の携帯機器１０では、溝１４、１６の下端部にテーパ部１４ａ、１６ａが形成されている。したがって、充電器５０から携帯機器１０を取り外す際に、充電端子５４が溝１４、１６に進入し易い。これによっても、スムーズな取り付け及び取り外しが可能となっている。
【００２６】
また、実施例の携帯機器１０では、溝１４、１６と凹部１８により構成された逆Ｕ字状の溝の底面及び各側面が、滑らかな曲面によって接続されている。したがって、逆Ｕ字状の溝の隅等にホコリが溜まり難い。これによって、ワイピング部材３０や端子２０、２２上にホコリが付くことが抑制される。
【００２７】
また、実施例の携帯機器１０では、ワイピング部材３０、３２が充電端子５４に比べて柔らかい素材により構成されており、これによっても充電端子５４の磨耗が抑制される。
【００２８】
以上、本発明の具体例を詳細に説明したが、これらは例示にすぎず、特許請求の範囲を限定するものではない。特許請求の範囲に記載の技術には、以上に例示した具体例をさまざまに変形、変更したものが含まれる。
本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【符号の説明】
【００２９】
１０：携帯機器
１４、１６：溝
１８：凹部
２０、２２：端子
３０、３２：ワイピング部材
３６：支持軸
３８：捻りコイルバネ
５０：充電器
５２：ケース
５４：充電端子
５４ａ：接点部
５６：凹部
【図１】
2012130227.tif 000003
【図２】
2012130227.tif 000004
【図３】
2012130227.tif 000005
【図４】
2012130227.tif 000006
【図５】
2012130227.tif 000007
【図６】
2012130227.tif 000008
【図７】
2012130227.tif 000009
【図８】
2012130227.tif 000010